(57)【要約】【課題】組付性を向上させることができるウインドレギュレータを提供する。【解決手段】ウインドレギュレータ１００は、窓ガラス９０を保持するキャリアプレート２と、駆動力を発生するモータ３０の作動によって回転駆動されるドラム３１と、一端がキャリアプレート２に連結され、他端がドラム３１に連結されるワイヤ５と、ワイヤ５の端部に固定されたワイヤエンド６１と、ワイヤエンド６１を収容する合成樹脂製の収容部材としてのスライドブッシュ７１とを備え、スライドブッシュ７１には、ワイヤエンド６１が収容される収容穴７１２が形成され、ワイヤエンド６１は収容穴７１２の第１側壁７１４から突出した突出部７１８に押し付けられて収容されている。【選択図】図１
2016132866.tif 000002
【特許請求の範囲】
【請求項１】
車両のドアに設けられ、前記ドアの窓ガラスを昇降させるウインドレギュレータであって、
前記窓ガラスを保持するキャリアプレートと、
駆動力を発生するモータの作動によって回転駆動されるドラムと、
一端が前記キャリアプレートに連結され、他端が前記ドラムに連結されるワイヤと、
前記ワイヤの前記一端側の端部に固定されたワイヤエンドと、
前記ワイヤエンドを収容すると共に、前記ワイヤに張力を付与する方向に付勢力を発生させる付勢部材の伸縮運動によって前記キャリアプレートに設けられた凹溝内で進退移動可能に配置された合成樹脂製の収容部材とを備え、
前記収容部材には、前記ワイヤが挿通する挿通孔が形成された基部と、前記基部の外縁から延在して形成された側壁とに囲まれた収容穴が形成され、
前記ワイヤエンドは、前記側壁から突出した突出部に押し付けられて前記収容穴に収容されている、
ウインドレギュレータ。
【請求項２】
前記収容穴の開口端部における前記側壁の内面が、前記収容穴の底面側に向かって前記収容部材の中心軸との距離が徐々に小さくなるように傾斜した傾斜面であり、
前記突出部は、前記傾斜面から前記収容穴の底面側に延在して形成されている、
請求項１に記載のウインドレギュレータ。
【発明の詳細な説明】
【技術分野】
【０００１】
本発明は、ウインドレギュレータに関する。
【背景技術】
【０００２】
従来、車両のドアには、モータの駆動力によって窓ガラスを昇降させるウインドレギュレータが用いられている（例えば、特許文献１参照）。
【０００３】
特許文献１に記載のウインドレギュレータは、窓ガラス（ウインドウガラス）の移動方向に沿って配置されたガイドレールと、ガイドレールに案内され、窓ガラスを保持するキャリアプレート（スライダベース）と、モータの駆動力によって回転駆動されるドラムと、一端がキャリアプレートに連結され、他端がドラムに連結されるワイヤと、ワイヤのキャリアプレート側の端部に固定されたワイヤエンドと、ワイヤエンドを係止する筒状のスライドブッシュとを備える。スライドブッシュには、ワイヤエンドを収容するための収容穴と、ワイヤを挿通する挿通孔とが軸方向に連通して形成されている。
【０００４】
スライドブッシュは、キャリアプレートに設けられた箱型状のエンドサポート内にスプリングと共に配置され、このスプリングの伸縮運動に伴ってエンドサポート内の内面に摺動可能に配置されている。また、エンドサポートには、スライドブッシュに挿通されたワイヤをエンドサポートの外部へ導出するための導出溝が形成され、この導出溝から導出されたワイヤがドラム側に連結される。また、スライドブッシュは、スプリングの付勢力によってエンドサポート内の中心部に近接する方向に常時付勢されており、この付勢力によってワイヤに張力が付与されている。
【０００５】
ドラムが回転駆動してワイヤが引張られると、ワイヤエンドが係止されているスライドブッシュが、エンドサポート内をワイヤの引張方向に摺動してエンドサポート内の内面に当接する。これにより、ワイヤの引張力がスライドブッシュを介してエンドサポートに伝達され、キャリアプレートがワイヤの引張方向に移動する。
【先行技術文献】
【特許文献】
【０００６】
【特許文献１】特開平９−１５０６３１号公報
【発明の概要】
【発明が解決しようとする課題】
【０００７】
ところで、この種のウインドレギュレータの組付時において、ワイヤエンドをスライドブッシュの収容穴に挿入する際には、未だワイヤに張力が付与されていないため、一旦スライドブッシュの収容穴に挿入したワイヤエンドがスライドブッシュから離脱してしまうことがあり、これが組付時における作業効率の低下の要因となっていた。
【０００８】
そこで、本発明では、組付性を向上させることができるウインドレギュレータを提供することを目的とする。
【課題を解決するための手段】
【０００９】
本発明は、上記課題を解決するため、車両のドアに設けられ、前記ドアの窓ガラスを昇降させるウインドレギュレータであって、前記窓ガラスを保持するキャリアプレートと、駆動力を発生するモータの作動によって回転駆動されるドラムと、一端が前記キャリアプレートに連結され、他端が前記ドラムに連結されるワイヤと、前記ワイヤの前記一端側の端部に固定されたワイヤエンドと、前記ワイヤエンドを収容すると共に、前記ワイヤに張力を付与する方向に付勢力を発生させる付勢部材の伸縮運動によって前記キャリアプレート内に設けられた凹溝に進退移動可能に配置された合成樹脂製の収容部材とを備え、前記収容部材には、前記ワイヤが挿通する挿通孔が形成された底壁と、前記底壁の外縁から延在して形成された側壁とに囲まれた収容穴が形成され、前記ワイヤエンドは、前記側壁から突出した突出部に押し付けられて前記収容穴に収容されているウインドレギュレータ提供する。
【発明の効果】
【００１０】
本発明に係るウインドレギュレータによれば、組付性を向上させることができる。
【図面の簡単な説明】
【００１１】
【図１】本実施の形態に係るウインドレギュレータを示す全体図である。
【図２】ウインドレギュレータの分解斜視図である。
【図３】キャリアプレートを示す平面図である。
【図４】スライドブッシュ、ワイヤエンド、及びコイルばねの構成を示す分解斜視図である。
【図５】スライドブッシュにワイヤエンドが組み付けられた状態の平面図を示し、（ａ）は上面図、（ｂ）は正面図である。
【図６】ワイヤエンドの加工方法を模式的に説明するための断面図であり、（ａ）は加締め前の状態を示す模式図であり、（ｂ）は加締め後の状態を示す模式図である。
【図７】スライドブッシュを示す平面図であり、（ａ）は上面図、（ｂ）は正面図である。
【図８】図７（ｂ）のＡ−Ａ線断面図である。
【図９】図７（ｂ）のＢ−Ｂ線断面図である。
【図１０】（ａ）〜（ｃ）は、ワイヤエンドをスライドブッシュに組み付ける際の過程を説明するための断面図である。
【発明を実施するための形態】
【００１２】
［実施の形態］
本発明の実施の形態に係るウインドレギュレータの構成及び動作について、図１乃至１０を参照して説明する。
【００１３】
図１は、本実施の形態に係るウインドレギュレータの全体図である。図１では、窓ガラスを仮想線（二点鎖線）で示している。図２は、ウインドレギュレータの分解斜視図である。図３は、キャリアプレート及びキャリアプレートに配置されたスライドブッシュ及びコイルばねを示す平面図である。
【００１４】
このウインドレギュレータ１００は、車両のドアに設けられ、ドアの窓ガラス９０を昇降させる。窓ガラス９０は、図略のガラスガイドに案内され、上下方向に移動する。
【００１５】
ウインドレギュレータ１００は、窓ガラス９０の移動方向に沿って配置されたガイドレール１と、ガイドレール１に案内され、窓ガラス９０を保持するキャリアプレート２と、駆動力を発生するモータ３０の作動によって回転駆動されるドラム３１と、一端がキャリアプレート２に連結され、他端がドラム３１に連結されるワイヤ５と、モータ３０及びドラム３１を保持するハウジング４とを備える。
【００１６】
ワイヤ５は、一端がキャリアプレート２に連結され、他端がガイドレール１の上端に配置されたプーリー１１を介してドラム３１に連結される上昇用ワイヤ５ａと、一端がキャリアプレート２に連結され、他端がガイドレール１の下端に配置されたワイヤガイド１２を介してドラム３１に連結される下降用ワイヤ５ｂとを有する。プーリー１１は、支軸１１０を回転中心として回転可能に配置されている。ワイヤガイド１２は、樹脂からなり、摺動によってワイヤ５を案内する。なお、ガイドレール１の上端にワイヤガイド１２を用いてもよく、ガイドレール１の下端にプーリー１１を用いてもよい。
【００１７】
ガイドレール１は、長尺な金属製の部材であり、その長手方向に沿って弓状に湾曲している。また、ガイドレール１は、その長手方向の中央部よりも上端側及び下端側にそれぞれ設けられたブラケット１３，１４を介して図略のドアパネルに取り付けられる。
【００１８】
キャリアプレート２は、板状に形成された樹脂部材であり、その中央部付近には上昇用ワイヤ５ａ及び下降用ワイヤ５ｂの端部にそれぞれ係止される凹溝２０が形成されている。また、キャリアプレート２の左右方向における右端部及び左端部には、窓ガラス９０が接続されるガラス接続部２１，２２がそれぞれ形成されている。
【００１９】
ドラム３１は、円筒状の部材であり、その外周面には螺旋状の溝３１ａが形成されている。また、ドラム３１はガイドレール１の長手方向における中間付近に配置されたハウジング４に保持されている。
【００２０】
ハウジング４は、ドラム３１を収容するドラムハウジング４１と、モータ３０の回転を減速する減速機（図略）を収容するギヤハウジング４２とからなる。ドラムハウジング４１とギヤハウジング４２とは、複数のボルト９１によって相互に締結されている。
【００２１】
キャリアプレート２の凹溝２０には、図３に示すように、上昇用スライドブッシュ７１と、上昇用スライドブッシュ７１を付勢する付勢部材としての上昇用コイルばね８１とが配置されている。同様に、キャリアプレート２の凹溝２０には、下降用スライドブッシュ７２と、下降用スライドブッシュ７２を付勢する付勢部材としての下降用コイルばね８２とが配置されている。
【００２２】
凹溝２０の内面は、キャリアプレート２の厚さ方向に貫通した貫通孔２ａが中央部に形成された底面２０ａと、上昇用コイルばね８１と当接する第１当接面２０ｂと、下降用コイルばね８２と当接する第２当接面２０ｃと、上昇用スライドブッシュ７１及び下降用スライドブッシュ７２と摺接して互いに対向する第１摺接面２０ｄ及び第２摺接面２０ｅとで構成されている。
【００２３】
ドラム３１が回転駆動すると、プーリー１１とキャリアプレート２との間における上昇用ワイヤ５ａの長さと、ワイヤガイド１２とキャリアプレート２との間における下降用ワイヤ５ｂの長さが変化する。
【００２４】
つまり、キャリアプレート２の下降時におけるドラム３１の回転方向を正方向（図１で時計回り方向）とし、キャリアプレート２の上昇時におけるドラム３１の回転方向を逆方向（図１で反時計回り方向）とすると、ドラム３１が正方向に回転することにより、プーリー１１とキャリアプレート２との間における上昇用ワイヤ５ａの長さが長くなると共にワイヤガイド１２とキャリアプレート２との間における下降用ワイヤ５ｂの長さが短くなる。また、ドラム３１が逆方向に回転することにより、プーリー１１とキャリアプレート２との間における上昇用ワイヤ５ａの長さが短くなると共にワイヤガイド１２とキャリアプレート２との間における下降用ワイヤ５ｂの長さが長くなる。この長さの変化に応じて、キャリアプレート２がガイドレール１に対して上下方向に移動する。
【００２５】
次に、上昇用ワイヤエンド６１，上昇用スライドブッシュ７１及び上昇用コイルばね８１の構成について図４乃至図１０を参照して説明する。なお、上昇用ワイヤエンド６１（以下、ワイヤエンド６１とする），上昇用スライドブッシュ７１（以下、スライドブッシュ７１とする）及び上昇用コイルばね８１（以下、コイルばね８１とする）と、下降用ワイヤエンド６２（不図示），下降用スライドブッシュ７２及び下降用コイルばね８２とは、ウインドレギュレータ１００における配置の向きが異なる他、構成は同一であるため、下降用ワイヤエンド６２，下降用スライドブッシュ７２及び下降用コイルばね８２についての説明は省略する。
【００２６】
図４は、スライドブッシュ７１、ワイヤエンド６１、及びコイルばね８１の構成を示す分解斜視図である。図５は、スライドブッシュ７１にワイヤエンド６１が組み付けられた状態の平面図を示し、（ａ）は上面図、（ｂ）は正面図である。図６は、ワイヤエンド６１の加工方法を模式的に説明するためのワイヤエンド６１を上昇用ワイヤ５ａの軸方向に沿って見たときの断面図であり、（ａ）は加締め前の状態を示す模式図であり、（ｂ）は加締め後の状態を示す模式図である。図７は、スライドブッシュ７１を示す平面図であり、（ａ）は上面図、（ｂ）は正面図である。図８は、図７（ｂ）のＡ−Ａ線断面図である。図９は、図７（ｂ）のＢ−Ｂ線断面図である。図１０（ａ）〜（ｃ）は、ワイヤエンド６１をスライドブッシュ７１に組み付ける際の過程を説明するための断面図であり、（ａ）はワイヤエンド６１がスライドブッシュ７１に挿入される直前の状態を示し、（ｂ）はワイヤエンド６１の挿入中の状態を示し、（ｃ）はワイヤエンド６１の挿入後の状態を示している。
【００２７】
スライドブッシュ７１は、略円筒状の樹脂成形体であり、キャリアプレート２における凹溝２０（図３に示す）内に配置されている。また、スライドブッシュ７１は、コイルばね８１の伸縮運動によって凹溝２０内で進退移動可能である。
【００２８】
上昇用ワイヤ５ａのキャリアプレート２（図１乃至図３に示す）側の端部には、図４に示すように、略直方形状からなるワイヤエンド６１が固定されている。ワイヤエンド６１は、例えば亜鉛等の金属からなる部材であり、図６に示すＶ字状の加締め溝９０１ａが形成された一対の加締め器具９０１による加締めによって上昇用ワイヤ５ａの端部に固定される。
【００２９】
より詳細には、図６（ａ）に示すように、先ず、上昇用ワイヤ５ａの端部にワイヤエンド６１となる円筒状の金具６１０を挿通し、この円筒状の金具６１０を一対の加締め器具９０１の加締め溝９０１ａの間に挟む位置に配置する。そして、一対の加締め器具９０１を互いに近接する方向（図６（ａ）に示す矢印方向）に移動させて、円筒状の金具６１０を一対の加締め溝９０１ａで外周側から加締めることにより、略直方形状のワイヤエンド６１が形成される。
【００３０】
スライドブッシュ７１は、ワイヤ挿通孔７１０ａ及び収容穴７１２からなる段付き孔が中心部に形成された円筒状の円筒部７１０と、円筒部７１０よりも大径に形成された鍔部７１１とを一体に有している。鍔部７１１は、収容穴７１２の開口端部における円筒部７１０の外周面から突出して形成されている。スライドブッシュ７１は、合成樹脂製の部材であり、例えば、ポリアセタールが好適に用いられる。
【００３１】
スライドブッシュ７１の鍔部７１１は、図７（ａ）及び（ｂ）に示すように、コイルばね８１（図４及び図５に示す）とは反対側を指向する軸方向端面が下降用スライドブッシュ７２と対向する対向面７１１ａとして形成され、対向面７１１ａとは反対側の軸方向端面がコイルばね８１の一端と当接する当接面７１１ｂとして形成されている。また、鍔部７１１の外周面は、キャリアプレート２における凹溝２０の第１摺接面２０ｄ及び第２摺接面２０ｅと摺動する摺動面７１１ｃとして形成される。
【００３２】
コイルばね８１は、一端が鍔部７１１の当接面７１１ｂに当接すると共に他端がキャリアプレート２における凹溝２０の第１当接面２０ｂ（図３に示す）に当接し、軸方向に圧縮されている。また、スライドブッシュ７１の円筒部７１０は、コイルばね８１内に配置される。これにより、スライドブッシュ７１は、キャリアプレート２における凹溝２０の第１当接面２０ｂから離間する方向に常時付勢され、上昇用ワイヤ５ａに張力が付与される。
【００３３】
スライドブッシュ７１の円筒部７１０には、その中心部にワイヤエンド６１を収容する収容穴７１２が形成されている。この収容穴７１２は、図７（ａ）に示すように、スライドブッシュ７１の中心軸Ｃに沿って対向面７１１ａ側から見た場合の断面が略矩形状であり、軸方向に深さを有する角穴として形成されている。
【００３４】
また、収容穴７１２は、上昇用ワイヤ５ａが挿通するワイヤ挿通孔７１０ａが形成された基部７１３と、基部７１３の外縁からスライドブッシュ７１の軸方向における鍔部７１１側に向かって延在した複数の側壁（後述する第１乃至第４側壁７１４〜７１７）とに囲まれた空間として形成されている。
【００３５】
円筒部７１０の複数の側壁は、収容穴７１２の中心部に向かって突出した突出部７１８が形成された第１側壁７１４と、第１側壁７１４と対向する第２側壁７１５と、第１及び第２側壁７１４，７１５の間に介在し、かつ互いに対向する第３及び第４側壁７１６，７１７とからなる。基部７１３は、その収容穴７１２の開口側を指向する軸方向端面が収容穴７１２の底面７１３ａとして形成されている。
【００３６】
第１側壁７１４の内面は、スライドブッシュ７１の中心軸Ｃと平行な方向に沿って形成された第１平坦面７１４ａと、収容穴７１２の底面７１３ａ側に向かってスライドブッシュの中心軸Ｃとの距離が徐々に小さくなるように軸方向に対して傾斜した傾斜面７１４ｂとで形成されている。傾斜面７１４ｂは、収容穴７１２の開口端部における第１側壁７１４の内面に形成されている。
【００３７】
同様に、第２乃至第４側壁７１５〜７１７の内面は、スライドブッシュ７１の中心軸Ｃと平行な方向に沿って形成された第２乃至第４平坦面７１５ａ〜７１７ａと、軸方向における収容穴７１２の底面７１３ａから収容穴７１２の開口側ほど中心軸Ｃとの距離が大きくなるように軸方向に対して傾斜した第２乃至第４傾斜面７１５ｂ〜７１７ｂとで形成されている。
【００３８】
突出部７１８は、図７に示すように、スライドブッシュ７１の中心軸Ｃに沿って対向面７１１ａ側から見たときの形状が半円状であり、スライドブッシュ７１の中心軸Ｃと平行な方向に延在して形成されている。図７（ｂ）に示すように、突出部７１８が、第１側壁７１４の第１傾斜面７１４ｂからスライドブッシュ７１の中心軸Ｃに沿って底面７１３ａ側に向かって延在して形成されている。本実施の形態では、突出部７１８は、第１側壁７１４の第１傾斜面７１４ｂからスライドブッシュ７１の中心軸Ｃに沿って所定の距離を隔てた位置から収容穴７１２の底面７１３ａ側に向かって延在して形成されている。ここで、所定の距離をＨ（図７（ｂ）に示す）とすると、この距離Ｈは、例えば、２ｍｍ〜３ｍｍの範囲で設定される。
【００３９】
突出部７１８は、図８に示すように、スライドブッシュ７１の軸方向における収容穴７１２の開口側から底面７１３ａ側に向かうほど第１側壁７１４の平坦面７１４ａからの突出高さが高くなるように軸方向に対して傾斜した傾斜部７１８Ａと、傾斜部７１８Ａの底面７１３ａ側の端部に連続して、第１側壁７１４の第１平坦面７１４ａからの突出高さを一定に保って延在する延在部７１８Ｂとを有している。傾斜部７１８Ａ及び延在部７１８Ｂは、スライドブッシュ７１の中心軸Ｃと平行に延在している。
【００４０】
ワイヤエンド６１は、例えば軽圧入によってスライドブッシュ７１の収容穴７１２内に固定することができる。具体的には、先ず、図１０（ａ）に示すように、ワイヤエンド６１がスライドブッシュ７１の対向面７１１ａ側に配置された状態で上昇用ワイヤ５ａをワイヤエンド６１が固定された端部とは反対側の方向（図１０（ａ）に示す矢印方向）へ引っ張ることにより、ワイヤエンド６１の一端部を収容穴７１２内へ進入させる。この際、ワイヤエンド６１は、スライドブッシュ７１における第１乃至第４傾斜面７１４ｂ〜７１７ｂによって、収容穴７１２内へ案内される。
【００４１】
ワイヤエンド６１の一端部が収容穴７１２内へ進入すると、ワイヤエンド６１は、図１０（ｂ）に示すように、突出部７１８の傾斜部７１８Ａを乗り上げて延在部７１８Ｂと摺動する。この際、ワイヤエンド６１は、突出部７１８の延在部７１８Ｂを第１側壁７１４の第１平坦面７１４ａ側に押し潰すように変形させながら、スライドブッシュ７１の軸方向に沿って底面７１３ａ側へ進入する。換言すれば、ワイヤエンド６１は、その側面６１ａが第１側壁７１４の第１平坦面７１４ａから離間する方向の押圧力を受けながら、スライドブッシュ７１の軸方向に沿って底面７１３ａ側へ進入する。
【００４２】
更にワイヤエンド６１が軸方向の底面７１３ａ側に進入すると、図１０（ｃ）に示すように、ワイヤエンド６１の端面６１ｂが収容穴７１２の底面７１３ａと当接する。これにより、ワイヤエンド６１がスライドブッシュ７１に固定される。すなわち、ワイヤエンド６１は、突出部７１８の延在部７１８Ｂに押し付けられて収容穴７１２に収容されている。
【００４３】
（実施の形態の作用及び効果）
以上説明した実施の形態によれば、以下に述べる作用及び効果を得ることができる。
【００４４】
（１）ワイヤエンド６１がスライドブッシュ７１の収容穴７１２において、第１側壁７１４の突出部７１８に押し付けられて収容されているので、ワイヤエンド６１と第１側壁７１４に形成された突出部７１８との間の摩擦力により、ワイヤエンド６１がスライドブッシュ７１から離脱することが防止される。つまり、組付時においてスライドブッシュ７１に一度収容されたワイヤエンド６１が離脱して、再度ワイヤエンド６１をスライドブッシュ７１に収容する作業が不要となる。これにより、ワイヤエンド６１とスライドブッシュ７１との組付性が向上する。
【００４５】
（２）突出部７１８が、第１側壁７１４の第１傾斜面７１４ｂからスライドブッシュ７１の中心軸Ｃに沿って収容穴７１２の底面７１３ａ側に所定の距離を隔てた位置から延在して形成されているので、ワイヤエンド６１をスライドブッシュ７１の収容穴７１２に挿入する際、突出部７１８が形成されていない第１乃至第４平坦面７１４ａ〜７１７ａに囲まれた領域によってワイヤエンド６１の姿勢が安定する。そして、ワイヤエンド６１の姿勢が安定した状態で、ワイヤエンド６１を突出部７１８側に進入させることができるので、組付時におけるワイヤエンド６１のスライドブッシュ７１の収容穴７１２への挿入作業が容易となる。これにより、さらに組付性が向上する。
【００４６】
以上、本発明について実施の形態に基づいて説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【００４７】
なお、本実施の形態では、ワイヤエンド６１が略直方形状であったが、これに限定されるものではない。例えばワイヤエンド６１は円柱状でもよく、これに伴ってスライドブッシュ７１の収容穴７１２も円形でもよい。
【００４８】
また、本実施の形態では、第１側壁７１４に単一の突出部７１８が形成されている場合のみについて説明したが、突出部の数はこれに限定されるものではない。例えば、突出部７１８は、第１側壁７１４のみならず他の複数の側壁（第２乃至第４側壁７１５〜７１７）にそれぞれ形成されていてもよい。また、単一の側壁に複数の突出部７１８が形成されていてもよく、例えば第１側壁７１４に所定の間隔で複数並列して形成されていてもよい。
【００４９】
また、上記実施の形態について上昇用ワイヤエンド６１及び上昇用スライドブッシュ７１について説明してきたが、下降用ワイヤエンド６２及び下降用スライドブッシュ７２についても構成は同様であるため、同様の作用効果を得ることができる。
【００５０】
またさらに、本実施の形態では、ドラム３１がガイドレール１の長手方向における中間付近に配置されたウインドレギュレータについてのみ説明したが、これに限定されず駆動源の駆動力によって窓ガラスを移動させることができる構成であればよい。例えば、モータ及びドラムがガイドレールの下端に設けられ、窓ガラスと共にモータが移動する自走式のウインドレギュレータであってもよい。また、運転者等の手動操作によって駆動させる手動式のウインドレギュレータでもよい。
【符号の説明】
【００５１】
１…ガイドレール、２…キャリアプレート、２ａ…貫通孔、３１ａ…溝、４…ハウジング、５…ワイヤ、５ａ…上昇用ワイヤ、５ｂ…下降用ワイヤ、１１…プーリー、１２…ワイヤガイド、１３，１４…ブラケット、２０…凹溝、２０ａ…底面、２０ｂ…第１当接面，２０ｃ…第２当接面、２０ｄ…第１摺接面，２０ｅ…第２摺接面、３０…モータ、３１…ドラム、４１…ドラムハウジング、４２…ギヤハウジング、６１…上昇用ワイヤエンド、６１ａ…側面、６１ｂ…底面、６２…下降用ワイヤエンド、７１…上昇用スライドブッシュ、７２…下降用スライドブッシュ、８１…上昇用コイルばね、８２…下降用コイルばね、９０…窓ガラス、９１…ボルト、１００…ウインドレギュレータ、１１０…支軸、７１０…円筒部、７１０ａ…ワイヤ挿通孔、７１１…鍔部、７１１ａ…対向面、７１１ｂ…当接面、７１１ｃ…摺動面、７１２…収容穴、７１３…基部、７１３ａ…底面、７１４〜７１７…第１乃至第４側壁、７１４ａ〜７１７ａ…第１乃至第４平坦面、７１４ｂ〜７１７ｂ…第１乃至第４傾斜面、７１８…突出部、７１８Ａ…傾斜部、７１８Ｂ…延在部、９０１…加締め器具、９０１ａ…加締め溝
【図１】
2016132866.tif 000003
【図２】
2016132866.tif 000004
【図３】
2016132866.tif 000005
【図４】
2016132866.tif 000006
【図５】
2016132866.tif 000007
【図６】
2016132866.tif 000008
【図７】
2016132866.tif 000009
【図８】
2016132866.tif 000010
【図９】
2016132866.tif 000011
【図１０】
2016132866.tif 000012
【手続補正書】
【提出日】平成28年5月26日(2016.5.26)
【手続補正１】
【補正対象書類名】特許請求の範囲
【補正対象項目名】請求項２
【補正方法】変更
【補正の内容】
【請求項２】
前記収容穴の開口端部における前記側壁の内面が、前記収容穴の底面側に向かって前記収容部材の中心軸との距離が徐々に小さくなるように傾斜した傾斜面であり、
前記突出部は、前記傾斜面から前記中心軸に沿って所定の距離を隔てた位置から前記収容穴の前記底面側に向かって延在して形成されている、
請求項１に記載のウインドレギュレータ。